【事件の表示】
　特願２００９−　４２１６０「情報表示装置」拒絶査定不服審判事件〔平成２２年　９月　９日出願公開、特開２０１０−１９８２９８〕について、次のとおり審決する。
【結　論】
　本件審判の請求は、成り立たない。
【理　由】
第１　手続の経緯
　本願は、平成２１年２月２５日の出願であって、平成２４年９月６日付けで拒絶理由が通知され、平成２４年１１月６日付けで手続補正がなされたが、平成２５年３月２２日付けで拒絶査定がなされ、これに対し、平成２５年６月２５日に拒絶査定不服審判が請求され、同時に手続補正がなされたものである。
　
第２　平成２５年６月２５日付けの手続補正についての補正却下の決定
［補正却下の決定の結論］
　平成２５年６月２５日付けの手続補正（以下、「本件補正」という。）を却下する。
　
［理由］
１．本件補正前及び本件補正後の本願発明
　本件補正は、特許請求の範囲についてするもので、請求項１については、本件補正前の「制御手段」について、「前記円を描く操作におけるドラッグ量が多いほどスクロール量を大きくするよう制御する」との限定を付加するものであるから、特許法第１７条の２第５項第２号（特許請求の範囲の減縮）に掲げる事項を目的とするものである。
　そこで、本件補正後の特許請求の範囲に記載されている事項により構成される発明が特許出願の際独立して特許を受けることができるものであるか（特許法第１７条の２第６項において準用する同法第１２６条第７項の規定にを満たすか）否かを、請求項１に係る発明（以下、「本願補正発明」という。）について以下に検討する。
　
　本願補正発明は、次のとおりのものである。
「【請求項１】
　情報表示を行う表示部を有する情報表示装置において、
　タッチパネル上の任意位置における、操作者のタッチ位置を検出する検出手段と、
　前記検出手段によって検出した、操作者がタッチパネル上で円を描く操作によるタッチ位置の連続した変位に基づいて、前記表示部に表示する内容を連続的にスクロールするよう制御する制御手段と
を備え、
　前記制御手段が、所定時間ごとに前記パネル上のタッチ位置を検出し、該所定時間ごとのタッチ位置のそれぞれに対応付けて複数の線分を求め、該線分どうしのなす角度に基づいて、前記表示部に表示する内容を連続的にスクロールするよう制御すると共に、前記円を描く操作におけるドラッグ量が多いほどスクロール量を大きくするよう制御することを特徴とする情報表示装置。」
　
２．引用例
　原査定の拒絶の理由に引用された、本願の出願前に頒布された刊行物である、特開２００８−３３６９５号公報（以下、「引用例１」という。）には、図面とともに、次の技術事項が記載されている。
（ア）「【特許請求の範囲】
【請求項５】
　ディスプレイの表示画面に表示される内容を、ユーザの操作にしたがってスクロールさせる装置において、
　ポインティングデバイスと、
　このポインティングデバイスのポインタが上記表示画面上の座標を始点としてドラッグを開始したとき、その開始点と所定の基準点との間の距離から、上記ポインタの単位移動量に対する上記スクロールのスクロール量を算出する算出手段と、
　上記内容を上記ポインタの移動方向にしたがった方向にスクロールさせるとともに、
　上記ポインタの移動量と、上記ポインタの単位移動量に対する上記スクロールのスクロール量とに対応する量だけ上記内容をスクロールさせるスクロール手段と
　を有する表示内容のスクロール装置。」（第２頁第２６〜３６行）
　
（イ）「【発明を実施するための最良の形態】
【００１８】
　〔１〕  この発明の概要
　図１は、この発明における表示例を示し、この例においては、表示内容がＣＤのジャケットのサムネイルの場合である。そして、そのサムネイルを年代順に並べるとともに、そのサムネイルをユーザの操作にしたがって左右にスクロールさせて目的とするサムネイルを表示できるようにした場合である。
【００１９】
　すなわち、図１において、符号１０はディスプレイの表示画面における表示領域（表示窓）を示し、この例においては、表示領域１０は横方向に長い長方形とされている。この場合、この表示領域１０は、ディスプレイの表示画面の全面を占めていてもよく、一部を占めるだけであってもよい。
【００２０】
　そして、この表示領域１０の例えば上部に、表示内容２０が表示される。図１においては、表示内容２０は、複数のＣＤのジャケットのサムネイル２１の集まりであり、このサムネイル２１が左から右へとＣＤの発売年代順に並んで表示内容２０を形成している。このとき、サムネイル２１の数が多いので（多ければ）、表示領域１０に表示されるサムネイル２１は一部のものだけとなり、残りは表示領域１０の外に位置して表示されない。図１においては、サムネイル２１のうち、表示領域１０の中に表示されないサムネイルは破線により示している。
【００２１】
　なお、以下の説明においては、サムネイル２１の配列ピッチは100ピクセルであるとする。また、図１においては、サムネイル２１（表示内容２０）のスクロールの状態ないし結果をわかりやすくするため、サムネイル２１として表示される画像をアルファベットとしている。
【００２２】
　さらに、表示領域１０の下部に、円盤状のスクロールダイヤル３１が表示される。このスクロールダイヤル３１は、マウスポインタ３２により仮想的にまわすことができるものである。ここで、「スクロールダイヤル３１をマウスポインタ３２によりまわす」とは、スクロールダイヤル３１にマウスポインタ３２を合わせ、この合わせた状態でマウスボタンを押しながらマウスポインタ３２をスクロールダイヤル３１の円周方向に移動させる操作である。つまり、スクロールダイヤル３１を回転的にドラッグする操作である。
【００２３】
　そして、例えば図２Ａに矢印３２Ａにより示すように、マウスポインタ３２によりスクロールダイヤル３１を時計方向にまわすと（ドラッグすると）、例えば図３Ａ→図３Ｂ→図３Ｃに示すように、表示内容２０が左から右へとスクロールしていき、表示領域１０の左の外側にあったサムネイル２１がやがて表示領域１０の中に表示され、さらに表示領域１０の右の外側へとスクロールしていく。
【００２４】
　また、図２Ａに矢印３２Ｂにより示すように、マウスポインタ３２によりスクロールダイヤル３１を反時計方向にまわすと、例えば図３Ｃ→図３Ｂ→図３Ａに示すように、表示内容２０が右から左へとスクロールしていき、表示領域１０の右の外側にあったサムネイル２１がやがて表示領域１０の中に表示され、さらに表示領域１０の左の外側へとスクロールしていく。
【００２５】
　つまり、マウスポインタ３２を使ってスクロールダイヤル３１を仮想的にまわすと、表示内容２０（サムネイル２１）が、そのまわした方向に所定の割り合いで水平移動し、横スクロールが行われる。
【００２６】
　ただし、この発明においては、以上のようなスクロールに加え、スクロールダイヤル３１をまわすときに、マウスポインタ３２をスクロールダイヤル３１に合わせた位置（スクロールダイヤル３１の中心からの半径方向における距離）に対応して、表示内容２０が横スクロールするときのスクロール量（スクロール速度）を変更する。」（第５頁第４行〜第６頁第６行）
　
（ウ）「【００３２】
　つまり、スクロールダイヤル３１をまわしたとき、例えば図５に示すように、
　　Ｐ：スクロールダイヤル３１においてマウスポインタ３２を合わせた点
　　ｄ：スクロールダイヤル３１をまわしたときの点Ｐの移動量（距離）
　　ｒ：スクロールダイヤル３１の中心（基準点）から点Ｐまでの距離
　　　（ｒ＞０で、スクロールダイヤル３１の半径よりも小さい）
　　θ：スクロールダイヤル３１の回転角［rad］
とすれば、
　　θ＝ｄ／ｒ                                            ・・・ (1)
の関係がある。
【００３３】
　そこで、このとき、
　　Ｌ：表示内容２０のスクロール量
　　α：正の定数
とすれば、回転角θを、表示内容２０のスクロール量に対応させるものであり、
　　Ｌ＝α・θ
とする。すなわち、(1)式から
　　Ｌ＝α・ｄ／ｒ                                        ・・・ (2)
とする。すなわち、マウスポインタ３２をスクロールダイヤル３１に合わせた点Ｐと、中心との距離ｒに反比例してスクロールダイヤル３１の単位回転量に対する表示内容２０のスクロール量（移動量）Ｌを変更する。
【００３４】
　したがって、図２Ａのように、スクロールダイヤル３１の外周付近にマウスポインタ３２を合わせてスクロールダイヤル３１をまわしたときには、(2)式において、距離ｒが大きいので、表示内容２０のスクロール量Ｌは小さくなる。また、図２Ｂのように、スクロールダイヤル３１の中心付近にマウスポインタ３２を合わせてスクロールダイヤル３１をまわしたときには、(2)式において、距離ｒが小さいので、表示内容２０のスクロール量Ｌは大きくなる。
【００３５】
　なお、このとき、スクロールダイヤル３１の中心点（基準点）からマウスポインタ３２までの距離ｒと、スクロールダイヤル３１の回転量θに対する表示内容２０のスクロール量Ｌとの関係は、線形であっても非線形、例えば指数関数的であってもよく、あるいはステップ的（離散的）であってもよい。
【００３６】
　このようにすれば、マウスポインタ３２によりスクロールダイヤル３１をまわすと、そのまわした方向に表示内容２０が横スクロールされるとともに、スクロールダイヤル３１をまわすためにマウスポインタ３２を合わせた位置（点Ｐ）に対応してそのスクロール量Ｌが変化する。
【００３７】
　したがって、あまり離れていない位置のサムネイル２１を表示する場合には、図２Ａに示すように、スクロールダイヤル３１の外周付近をドラッグしてスクロールダイヤル３１をまわせばよく、逆に大きく離れた位置のサムネイル２１を表示する場合には、図２Ｂに示すように、スクロールダイヤル３１の中心付近をドラッグしてスクロールダイヤル３１をまわせばよい。
【００３８】
　こうして、上述のスクロール方法によれば、現在の表示位置と、目的とする表示位置との関係に対応して最適なスクロールを行うことができる。また、スクロールダイヤル３１をまわすのであるから、表示内容２０のスクロール量が表示領域１０より大きくでも問題がない。」（第６頁第４１行〜第７頁第３９行）
　
（エ）「【００５８】
　〔３〕  他の例
　〔３−１〕  ハードウェアの例
　図８は、この発明を、ノート型のパーソナルコンピュータに適用した場合の一例を示す。この例においては、ポインティングデバイスとして、マウスポインタ１０９に代えてタッチパッド１１９が接続されている。このタッチパッド１１９は、タッチパネルやタブレットなどのように、スタイラスや指などにより入力面に触れて座標を入力をするものであり、その入力面が例えば図９に示すように、横に長い長方形に構成されている。そして、その入力面をスタイラスや指などで触れると（軽く押すと）、その触れたこと、およびその触れた点の座標が読み取られるものである。
【００５９】
　さらに、この例においては、表示領域１０には、スクロールダイヤル３１は表示されずに、表示内容２０だけが表示される。
【００６０】
　そして、図９ＡあるいはＢに示すように、タッチパッド１１９に円（あるいは弧）を描くと（円を描くように触れると）、表示領域１０に表示された表示内容２０が、その円の描画方向に対応してスクロールされるとともに、このとき、タッチパッド１１９に描いた円の半径が、(2)式の距離ｒとされる。
【００６１】
　したがって、図９Ａに示すように、タッチパッド１１９に大きく円を描いたときには、図２Ａの示すように、スクロールダイヤル３１の外周付近にマウスポインタ３２を合わせてスクロールダイヤル３１をまわしたときに対応し、例えば図３に示すように、表示内容２０がその描いた円の方向に対応してスクロールされるとともに、そのスクロール量は小さくされる。
【００６２】
　また、図９Ｂに示すように、タッチパッド１１９に小さく円を描いたときが、図２Ｂの示すように、スクロールダイヤル３１の中心付近にマウスポインタ３２を合わせてスクロールダイヤル３１をまわしたときに対応し、したがって、例えば図４に示すように、表示内容２０がその描いた円の方向に対応してスクロールされるとともに、そのスクロール量は大きくされる。
【００６３】
　こうして、このタッチパッド１１９を使用する場合は、タッチパッド１１９に円を描くと、その描いた方向に表示内容２０が横スクロールされるとともに、描いた円の半径ｒに対応してそのスクロール量が変化する。
【００６４】
　したがって、あまり離れていない位置のサムネイル２１を表示する場合でも、逆に大きく離れた位置のサムネイル２１を表示する場合でも、そのサムネイル２１を容易に表示することができる。」（第１０頁第９〜４６行）
　
　上記引用例１記載事項及び図面を総合勘案すると、引用例１には、次の発明（以下、「引用発明１」という。）が記載されているものと認められる。
「ディスプレイの表示画面に表示される内容を、ユーザの操作にしたがってスクロールさせる装置を備えたノート型のパーソナルコンピュータであって、
　表示内容をスクロールさせる装置は、
　ポインティングデバイスと、
　このポインティングデバイスのポインタが上記表示画面上の座標を始点としてドラッグを開始したとき、その開始点と所定の基準点との間の距離から、上記ポインタの単位移動量に対する上記スクロールのスクロール量を算出する算出手段と、
　上記内容を上記ポインタの移動方向にしたがった方向にスクロールさせるとともに、
　上記ポインタの移動量と、上記ポインタの単位移動量に対する上記スクロールのスクロール量とに対応する量だけ上記内容をスクロールさせるスクロール手段と
　を有し、
　ポインティングデバイスとしては、タッチパッドが用いられ、このタッチパッドは、タッチパネルやタブレットなどのように、スタイラスや指などにより入力面に触れて座標を入力をするものであり、その入力面をスタイラスや指などで触れると（軽く押すと）、その触れたこと、およびその触れた点の座標が読み取られ、
　タッチパッドに円（あるいは弧）を描くと（円を描くように触れると）、表示領域に表示された表示内容が、その円の描画方向に対応してスクロールされるとともに、このとき、タッチパッドに描いた円の半径が、
　Ｌ＝α・ｄ／ｒ    
　の距離ｒとされ、
　このとき、
　θ：回転角［rad］
　ｄ：ポインタの移動量（距離）
　Ｌ：表示内容のスクロール量
　α：正の定数
とすれば、
　θ［rad］＝ｄ／ｒ
の関係があり、回転角θを、表示内容のスクロール量に対応させると、
　Ｌ＝α・θ 
となり、回転量θに対する表示内容のスクロール量Ｌとの関係は、線形であってよく、
　タッチパッドに円を描くと、その描いた方向に表示内容がスクロールされるとともに、描いた円の半径ｒが大きいと、表示内容のスクロール量Ｌは小さくなる、ノート型のパーソナルコンピュータ。」
　
３．対比
　引用発明１の「ディスプレイ」は、「表示画面」に「内容」を表示しているから、本願補正発明の「情報表示を行う表示部」に相当する。
　次に、 引用発明１の「タッチパッド」は、「タッチパネル」のように、「スタイラスや指などにより入力面に触れて座標を入力をするもの」であるから、本願補正発明の「タッチパネル」とは、「入力面にタッチして座標を入力をするデバイス」の点で共通する。
　次に、引用発明１では、「タッチパネル」のように、「スタイラスや指などにより入力面に触れて座標を入力をする」「タッチパッド」を用い、「その入力面をスタイラスや指などで触れると（軽く押すと）、その触れたこと、およびその触れた点の座標が読み取られ」るものであるから、引用発明１における、「タッチパッド」の「入力面」の「触れた点の座標」を「読み取」る手段と、本願補正発明の「タッチパネル上の任意位置における、操作者のタッチ位置を検出する検出手段」とは、「入力面にタッチして座標を入力をするデバイス上の任意位置における、操作者のタッチ位置を検出する検出手段」の点で共通する。
　次に、引用発明１は、「タッチパッドに円（あるいは弧）を描くと（円を描くように触れると）、表示領域に表示された表示内容が、その円の描画方向に対応してスクロール」され、しかも「回転量θに対する表示内容のスクロール量Ｌとの関係」が「線形」であるよう制御されているから、引用発明１のかかる制御手段と、本願補正発明の「検出手段によって検出した、操作者がタッチパネル上で円を描く操作によるタッチ位置の連続した変位に基づいて、前記表示部に表示する内容を連続的にスクロールするよう制御する制御手段」とは、「検出手段によって検出した、操作者が入力面にタッチして座標を入力をするデバイス上で円を描く操作によるタッチ位置の連続した変位に基づいて、前記表示部に表示する内容を連続的にスクロールするよう制御する制御手段」の点で共通する。
　次に、引用発明１の「ディスプレイ」を備えた「ノート型のパーソナルコンピュータ」が、以下の相違点は除いて、本願補正発明の「情報表示を行う表示部を有する情報表示装置」に相当する。
　
　すると、本願補正発明と引用発明１とは、次の点で一致する。
（一致点）
　情報表示を行う表示部を有する情報表示装置において、
　入力面にタッチして座標を入力をするデバイス上の任意位置における、操作者のタッチ位置を検出する検出手段と、
　前記検出手段によって検出した、操作者が入力面にタッチして座標を入力をするデバイス上で円を描く操作によるタッチ位置の連続した変位に基づいて、前記表示部に表示する内容を連続的にスクロールするよう制御する制御手段とを備える、
　情報表示装置。
　
　また、両者は次の点で相違する。
＜相違点１＞
　本願補正発明では、入力面にタッチして座標を入力をするデバイスが「タッチパネル」であるのに対し、引用発明１では「タッチパッド」である点。
　
＜相違点２＞
　本願補正発明では、「所定時間ごとに前記パネル上のタッチ位置を検出し、該所定時間ごとのタッチ位置のそれぞれに対応付けて複数の線分を求め、該線分どうしのなす角度に基づいて、前記表示部に表示する内容を連続的にスクロールするよう制御」しているのに対し、引用発明１では、「円（あるいは弧）を描くと（円を描くように触れると）、表示領域に表示された表示内容が、その円の描画方向に対応してスクロールされ」、「回転量θに対する表示内容のスクロール量Ｌとの関係は、線形であり」、「円を描くと、その描いた方向に表示内容がスクロールされる」ものの、回転量θの求め方が具体的に示されていない点。
　
＜相違点３＞
　本願補正発明では、「円を描く操作におけるドラッグ量が多いほどスクロール量を大きくするよう制御」しているのに対し、引用発明１では、描いた円の半径ｒに対応してそのスクロール量Ｌが、「Ｌ＝α・ｄ／ｒ 」（ｄ：ポインタの移動量（距離）、Ｌ：表示内容のスクロール量、α：正の定数）と変化し、描いた円の半径ｒが大きいと、表示内容のスクロール量Ｌは小さくなることは示されているが、本願補正発明のように「円を描く操作におけるドラッグ量が多いほどスクロール量を大きくする」ことは示されていない点。
　
４．判断
　そこで、上記相違点について検討すると、
＜相違点１＞について：
　引用発明１に「ポインティングデバイスとしては、タッチパッドが用いられ、このタッチパッドは、タッチパネルやタブレットなどのように、スタイラスや指などにより入力面に触れて座標を入力をするものであ」ると示されているとおり、「タッチパネル」や「タッチパッド」は、「入力面に触れて座標を入力をする」形態の「ポインティングデバイス」を代表する典型的なデバイスである。
　
　よって、引用発明１において、「入力面に触れて座標を入力をする」「ポインティングデバイス」として、これを代表する典型的なデバイスである「タッチパネル」を用い、上記相違点１に係る本願補正発明の構成とすることは、当業者が容易になし得たことである。
　
＜相違点２＞について：
　順次入力された３つの座標を用い、１番目の座標を基点とした２番目の座標の変位ベクトルと２番目の座標を基点とした３番目の座標の変位ベクトルの成す角度を算出することは、本願の出願前において、周知の数学的技法である（例えば、特開２００３−２３３４５５号公報の「１０４は座標情報記憶手段１０３に順次記憶された３つの座標の内、１番目の座標を基点とした２番目の座標の変位ベクトルと２番目の座標を基点とした３番目の座標の変位ベクトルの成す角度を算出する角度算出手段」（第３頁第４欄第４〜８行）との記載、特開平６−１２４９３号公報の「【００２３】以下、図７を用いて、角度変位時系列の計算を説明する。図７において３０から３２は図３の座標３０から３２であり、４１と４２は図３の線分４１と４２であり、７００は座標３２を通り線分４１と平行な直線で、７０２は座標３０を通り線分４２と平行な直線であり、７０４は線分４１と直線７０２のなす角度である。時刻ｉの角度変位は時刻ｉの速度ベクトルと時刻（ｉ−１）のなす角度とする。ここで、角度変位の絶対値は数３に示すように速度ベクトルの内積の余弦の逆関数から計算し、符号は数４に示す２個の速度ベクトルの外積と等しくする。」（第５頁第【００２３】段落）との記載参照。）。
　よって、引用発明１において、描かれた「円（あるいは弧）」の「回転量θ」の求め方として、上記周知の数学的技法を用い、「円（あるいは弧）」が描かれる「入力面」の「座標」を「順次」、すなわち所定時間ごと読み取った３つの座標を用い、１番目の座標を基点とした２番目の座標の変位ベクトルと２番目の座標を基点とした３番目の座標の変位ベクトルの成す角度、つまり、複数の線分どうしのなす角度を算出し、該角度に基づいて「回転量θ」を求めるようにして、上記相違点２に係る本願補正発明の構成とすることは、当業者が容易になし得たことである。
　
＜相違点３＞について：
　描いた円の半径ｒに対応してそのスクロール量を変化させる際、前記円を描く操作におけるドラッグ量が多いほど（言い換えると、円の半径ｒが大きいほど）スクロール量を大きくするよう制御するか、小さくするよう制御するかは、当業者が適宜選択し得ることである（例えば、特表２００５−５１８６１２号公報の「【００５３】  図２はまた、タッチパッド３０と点４０で接触する第２の弧４２を示す。弧４２は、半径４４を有する、半径の中心４６を中心とする移動の周囲に線を引く。
　弧３４および４２の間の明らかな差は、半径のサイズである。好ましい実施形態において、半径のサイズは、ジェスチャが低精細用であるか、高精細用であるかを決める。再び、この割り当ては任意である。」（第１０頁第２３〜２８行）との記載、及び、特開平５−２８９８１１号公報の「【００１６】ユーザは、座標入力センサ１よりなる入力部上で指を、右回転、あるいは左回転することにより、画面を上下にスクロールさせ、情報のどの部分を表示装置２の画面に表示するかを指定することができる。
【００１７】つまり、座標入力センサ１により、ユーザが当該座標入力センサ１上を触っているかどうかの信号値および触っているときにはその座標値が得られる。これは回転量計算回路４に入力され、ユーザが指を回転させたときの回転量が計算され、値の増減量が得られる。
【００１８】なお、値の増減値は、ユーザが描いた円の大きさに応じて調節することが可能であり、これによりさらに良好な指定を行うことができる。このようにして得られた値の増減値は、情報検索処理装置５に入力され、表示装置２の画面上に表示される。」（第２頁第２欄第３５〜４８行）との記載参照。）。
　そして、前記「２．引用例」の摘記事項（ア）に記載された「請求項５」には、「上記ポインタの単位移動量に対する上記スクロールのスクロール量を算出する」と記載されているにすぎす、該「算出」の具体的内容が「発明の要件」として認識されているわけではないことを踏まえれば、引用発明１において、描いた円の半径ｒに対応してそのスクロール量Ｌを変化させる際、描いた円の半径ｒが大きいと、表示内容のスクロール量Ｌは小さくなるように変化させることに代え、上記当業者の適宜の選択に従い、描いた円の半径ｒが大きいと、表示内容のスクロール量Ｌが大きくなるように変化させ、上記相違点３に係る本願補正発明の構成とすることは、当業者が容易になし得たことである。
　
　また、本願補正発明の作用効果も、引用発明１及び周知の事項から、当業者が予測し得たものである。
　
５．本件補正についての結び
　以上のとおり、本件補正発明は、特許法第２９条第２項の規定により、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１．本願発明
　平成２５年６月２５日付けの手続補正は上記のとおり却下されたので、本願の請求項１〜６に係る発明は、平成２４年１１月６日付け手続補正書により補正された特許請求の範囲の請求項１〜６に記載されたとおりのものであるところ、請求項１に係る発明（以下、「本願発明」という。）は、次のとおりのものである。
　
「【請求項１】
　情報表示を行う表示部を有する情報表示装置において、
　タッチパネル上の任意位置における、操作者のタッチ位置を検出する検出手段と、
　前記検出手段によって検出した、操作者がタッチパネル上で円を描く操作によるタッチ位置の連続した変位に基づいて、前記表示部に表示する内容を連続的にスクロールするよう制御する制御手段と
を備え、
　前記制御手段が、所定時間ごとに前記パネル上のタッチ位置を検出し、該所定時間ごとのタッチ位置のそれぞれに対応付けて複数の線分を求め、該線分どうしのなす角度に基づいて、前記表示部に表示する内容を連続的にスクロールするよう制御することを特徴とする情報表示装置。」
　
２．引用例
　原査定の拒絶の理由で引用された引用例及びその記載事項は、前記「第２　［理由］２．」に記載したとおりである。
　
３．対比・判断
　本願発明は、上記「第２　［理由］」で検討した本願補正発明から、「制御手段」についての、「前記円を描く操作におけるドラッグ量が多いほどスクロール量を大きくするよう制御する」との限定を省いたものに相当する。
　そうすると、本願発明の構成要件を全て含み、更に他の要件を付加したものに相当する本願補正発明が、前記「第２　［理由］４．」に記載したとおり、引用例１に記載された発明及び周知事項に基づいて当業者が容易に発明をすることができたものであるから、本願発明も同様の理由により、引用例１に記載された発明及び周知事項に基づいて当業者が容易に発明をすることができたものである。
　
４．むすび
　以上のとおり、本願の請求項１に係る発明は、特許法第２９条第２項の規定により特許を受けることができないものである。
　したがって、その余の請求項について論及するまでもなく、本願は拒絶すべきものである。
　よって、結論のとおり審決する。